(57)【特許請求の範囲】
【請求項１】
護岸、法面保護等を構築する石詰め枠構築用の枠ユニットであって、
前面側のパネルと背面側のパネルとこれら両パネルの間隔を保持する間隔保持部材とを備え、当該枠ユニットを段積みした時に上側のパネルの下縁部と下側のパネルの上縁部とが直接係合可能な継ぎ手構造を有することを特徴とする石詰め枠構築用の枠ユニット。
【請求項２】
前記パネルが溶接金網からなることを特徴とする請求項１記載の石詰め枠構築用の枠ユニット。
【請求項３】
前記継ぎ手構造は、上側のパネルの最下位の横線材から下方に突き出た上側継ぎ手部が下側のパネルの上部の横線材に係合する構造であることを特徴とする請求項２記載の石詰め枠構築用の枠ユニット。
【請求項４】
前記継ぎ手構造は、溶接金網である前記パネルの最上位の横線材を縦線材を挟む２本で構成し、当該枠ユニットを段積みした時に、上側のパネルの縦線材の直線状のままの下端部が、下側の前記最上位の２本の横線材間に緊密に嵌入される構造であることを特徴とする請求項３記載の石詰め枠構築用の枠ユニット。
【請求項５】
前記継ぎ手構造は、溶接金網である前記パネルの縦線材の下端部に、当該枠ユニットを段積みした時に、下側のパネルの最上位より下の横線材に引っ掛け可能なフック部を形成した構造であることを特徴とする請求項３記載の石詰め枠構築用の枠ユニット。
【請求項６】
前記フック部を、パネルの縦線材の直線状の下端部の片側または両側に別体のフックを溶接して構成したことを特徴とする請求項５記載の石詰め枠構築用の枠ユニット。
【請求項７】
前記フック部を、パネルの縦線材を最下位の横線材部分でパネル表側に曲折した後にパネル裏面側に折り返して形成するとともに、さらにパネル正面から見て横向きに傾斜させて構成したことを特徴とする請求項５記載の石詰め枠構築用の枠ユニット。
【請求項８】
前面のパネルおよび背面のパネルが互いに平行であることを特徴とする請求項１〜７記載の石詰め枠構築用の枠ユニット。
【請求項９】
前記間隔保持部材が略平行四辺形をなし、パネル幅の間隔で互いに平行に並べた２つの間隔保持部材の前面斜辺部間および背面斜辺部間に、前記パネルの左右両端部を連結したことを特徴とする請求項８記載の石詰め枠構築用の枠ユニット。
【請求項１０】
当該枠ユニットの幅方向中間位置で、前面のパネルの上部と背面のパネルの上部との間に係合状態で架け渡される梁材を設けたことを特徴とする請求項１〜９記載の石詰め枠構築用の枠ユニット。
【請求項１１】
前面側のパネルと背面側のパネルとこれら両パネルの間隔を保持する間隔保持部材とを備えた枠ユニットの内部に石を詰めて順次段積みし、連続する斜面を持つ石詰め壁を構築する壁構築方法であって、
前記枠ユニットを段積みする際に、上側のパネルの下縁部と下側のパネルの上縁部とを直接係合させることを特徴とする壁構築方法。
【請求項１２】
連続する斜面を持つ石詰め壁を構築する壁構築方法であって、
間隔保持部材として複数の斜め補強材付き平行四辺形骨材をパネル幅の間隔をおいて互いに平行に並べて立て、パネル幅間隔で隣接する２つの平行四辺形骨材の前面斜辺部間および背面斜辺部間にそれぞれ網状矩形のパネルをあてがい、前記平行四辺形骨材を共有して隣接する左右のパネルを平行四辺形骨材とともに連結部材を用いて連結して、隣接して並ぶ複数の枠ユニットを組み立て、この枠ユニット内に石を詰めて壁の１段部分を形成し、その１段部分の上に略同じ工程で枠ユニットを段積みする際に、上側の枠ユニットのパネルの下縁部と下側の枠ユニットのパネルの上縁部とを直接係合させ、上側の枠ユニットに石を詰めて壁の次ぎの１段部分を形成し、これを繰り返して、連続する斜面を持つ石詰め壁を構築することを特徴とする壁構築方法。
【発明の詳細な説明】
【０００１】
【発明の属する技術分野】
この発明は、護岸壁、擁壁、法面等として、連続する斜面を持つ石詰め壁を構築する際に用いる枠ユニット、およびこれを用いて行う壁構築方法に関する。
【０００２】
【従来の技術】
従来より、護岸壁等として石詰め壁を構築する場合、施工すべき壁ラインに沿ってフトン籠（蛇籠ともいう）を並べて配置し、内部に石を詰めた後、その上に再びフトン籠を並べて配置し石を詰めるという作業を繰り返して、石詰めフトン籠の複数段からなる壁を構築する施工法がある。
この種の工法におけるフトン籠は一般に直方体状であり、前後左右底面の５つのパネルを現場で直方体状に組み立てるか、あるいは、Ｌ形等の複数面を持つパネル部材を用いて現場で直方体状に組み立てるかするのが一般的である。そして、いずれの場合でも、上下のフトン籠どうしの係合は、連結棒やピンや鋼線コイル等の別部材の連結金具を用いて行っている（実開昭６３−８５３４２号等参照）。
上記の直方体状のフトン籠を用いて施工した壁は、前面が階段状になるが、直方体の前面が傾斜したフトン籠を用いて、連続する斜面が形成される石詰め壁を構築する場合でも、施工法としては階段状の壁を構築する場合と同じである（特開平１０−１３１１９４号、特開平１１−７１７６８号、特開平１１−１０７２３８号等参照）。
【０００３】
【発明が解決しようとする課題】
上記のように直方体状ないし前面が傾斜した直方体状のフトン籠を用いる従来工法は、組み立て煩雑であり施工性が低い。特に、上下のフトン籠の連結のために別部材の連結金具を用いるので、その上下連結の作業性が悪いとともに、部材数が増加してコスト高となるという問題がある。
本発明は、上記従来の欠点を解消するためになされたもので、連続する斜面を持つ石詰め壁を構築する際に、施工性が良好であるとともに、部材数が少なく済む石詰め枠構築用の枠ユニット、およびこれを用いる壁構築方法を提供することを目的とする。
【０００４】
【課題を解決するための手段】
上記課題を解決する本発明の石詰め枠構築用の枠ユニットは、護岸、法面保護等を構築する石詰め枠構築用の枠ユニットであって、前面側のパネルと背面側のパネルとこれら両パネルの間隔を保持する間隔保持部材とを備え、当該枠ユニットを段積みした時に上側のパネルの下縁部と下側のパネルの上縁部とが直接係合可能な継ぎ手構造を有することを特徴とする。
【０００５】
請求項２は、請求項１の石詰め枠構築用の枠ユニットにおけるパネルが溶接金網からなることを特徴とする。
【０００６】
請求項３は、請求項２の石詰め枠構築用の枠ユニットにおける継ぎ手構造が、上側のパネルの最下位の横線材から下方に突き出た上側継ぎ手部が下側のパネルの上部の横線材に係合する構造であることを特徴とする。
【０００７】
請求項４は、請求項３の石詰め枠構築用の枠ユニットにおける継ぎ手構造が、溶接金網である前記パネルの最上位の横線材を縦線材を挟む２本で構成し、当該枠ユニットを段積みした時に、上側のパネルの縦線材の直線状のままの下端部が、下側の前記最上位の２本の横線材間に緊密に嵌入される構造であることを特徴とする。
【０００８】
請求項５は、請求項３の石詰め枠構築用の枠ユニットにおける継ぎ手構造が、溶接金網である前記パネルの縦線材の下端部に、当該枠ユニットを段積みした時に、下側のパネルの最上位より下の横線材に引っ掛け可能なフック部を形成した構造であることを特徴とする。
【０００９】
請求項６は、請求項５の石詰め枠構築用の枠ユニットにおけるフック部を、パネルの縦線材の直線状の下端部の片側または両側に別体のフックを溶接して構成したことを特徴とする。
【００１０】
請求項７は、請求項５の石詰め枠構築用の枠ユニットにおけるフック部を、パネルの縦線材を最下位の横線材部分でパネル表側に曲折した後にパネル裏面側に折り返して形成するとともに、さらにパネル正面から見て横向きに傾斜させて構成したことを特徴とする。
【００１１】
請求項８は、請求項１〜７の石詰め枠構築用の枠ユニットにおける前面のパネルおよび背面のパネルが互いに平行であることを特徴とする。
【００１２】
請求項９は、請求項８の石詰め枠構築用の枠ユニットにおける間隔保持部材が略平行四辺形をなし、パネル幅の間隔で互いに平行に並べた２つの間隔保持部材の前面斜辺部間および背面斜辺部間に、前記パネルの左右両端部を連結したことを特徴とする。
【００１３】
請求項１０は、請求項１〜９の石詰め枠構築用の枠ユニットにおいて、枠ユニットの幅方向中間位置で、前面のパネルの上部と背面のパネルの上部との間に係合状態で架け渡される梁材を設けたことを特徴とする。
【００１４】
請求項１１は、前面側のパネルと背面側のパネルとこれら両パネルの間隔を保持する間隔保持部材とを備えた枠ユニットの内部に石を詰めて順次段積みし、連続する斜面を持つ石詰め壁を構築する壁構築方法であって、
前記枠ユニットを段積みする際に、上側のパネルの下縁部と下側のパネルの上縁部とを直接係合させることを特徴とする。
【００１５】
請求項１２は、連続する斜面を持つ石詰め壁を構築する壁構築方法であって、
間隔保持部材として複数の斜め補強材付き平行四辺形骨材をパネル幅の間隔をおいて互いに平行に並べて立て、パネル幅間隔で隣接する２つの平行四辺形骨材の前面斜辺部間および背面斜辺部間にそれぞれ網状矩形のパネルをあてがい、前記平行四辺形骨材を共有して隣接する左右のパネルを平行四辺形骨材とともに連結部材を用いて連結して、隣接して並ぶ複数の枠ユニットを組み立て、この枠ユニット内に石を詰めて壁の１段部分を形成し、その１段部分の上に略同じ工程で枠ユニットを段積みする際に、上側の枠ユニットのパネルの下縁部と下側の枠ユニットのパネルの上縁部とを直接係合させ、上側の枠ユニットに石を詰めて壁の次ぎの１段部分を形成し、これを繰り返して、連続する斜面を持つ石詰め壁を構築することを特徴とする。
【００１６】
【発明の実施の形態】
以下、本発明の実施の形態を図１〜図１２を参照して説明する。図１は本発明の一実施形態の枠ユニット１の斜視図、図２（イ）は図１の枠ユニット１の側面図である。また、図３はこの枠ユニット１を用いて施工した石詰め壁の断面図、図４は図３の石詰め壁の石詰め枠（枠ユニット１を段積みした全体を指す）の石を省いて示した斜視図である。この実施形態の枠ユニット１は、パネル幅の間隔で互いに平行に並べた２つの斜め補強材付き平行四辺形骨材（間隔保持部材）３の前面斜辺部３ｂ間および背面斜辺部３ｃ間にそれぞれ網状矩形のパネル４の左右両端部を連結用鋼線コイル６で連結するとともに、各パネル４の下端部および上端部を、当該枠ユニット１を段積みする際に上下のパネル４どうしを直接係合させることができる継ぎ手構造としている。
また、この実施形態では、前面のパネル４の最上位の横線材４ｂと背面のパネル４（４’）の最上位の横線材４ｂと間に、例えば９ｍｍφの鋼線の両端にフック部１０ａを形成した梁材１０を架け渡している。
【００１７】
前記斜め補強材付き平行四辺形骨材（以下、平行四辺形骨材と略す）３は、例えば９ｍｍφ等の鋼線を曲折して平行四辺形状にして端末どうしを突き合わせ溶接し、かつ、斜め補強材３ａを溶接固定したもので、実施形態ではパネル幅方向の両端部と中央との３箇所に配置している。なお、詳細は後述するが、壁施工時にパネル両端の平行四辺形骨材３は隣接する枠ユニット１に共有される。
【００１８】
前記パネル４は例えば６ｍｍφ鋼線による縦線材４ａと横線材４ｂとを格子状に溶接した溶接金網であり、各縦線材４ａの下端部にく字形に曲折してなるフック部４ｃを備えている。このフック部４cは詳細は後述するが、上下のパネル４を連結する継ぎ手構造の一部を構成する。図２（ロ）のパネル４の拡大側面図に示すように、横線材４ｂのうち、パネル４の上から２番目の横線材４ｂ、下から２番目の横線材４ｂおよび最下位の横線材４ｂは、縦線材４ａの両面に溶接固定された２本（ダブル）からなり、他は１本（シングル）である。
【００１９】
上記の枠ユニット１を用いて護岸壁、擁壁等の石詰め壁を構築する場合、まず、壁を構築すべき地盤に、パネル４の幅と同じ幅で矩形をなす同じく溶接金網による底面パネル１２（図４参照）を、構築すべき壁ラインに沿って隣接して敷き並べ、各底面パネル１２の上で図１の枠ユニット１を、端部の平行四辺形骨材３を共有する形で組み立てる。
１つの枠ユニット１の組み立てについて説明すると、まず、左右の平行四辺形骨材３と中央の平行四辺形骨材３を底面パネル１２の左右両端部および中央に位置させ、連結用鋼線コイル６ａにより各平行四辺形骨材３の底辺部３ｄと底面パネル１２の線材部分とを連結する。
次いで、前面パネル４および背面パネル４（４’）を底面パネル１２の前後縁部に寝かせて配置し、パネル４の下端部と底面パネル１２の前後縁部とを同じく連結用鋼線コイル６ｂを用いて連結する。なお、最下段の枠ユニット１のパネル４は下端部にフック部を持たない単なる矩形の溶接金網である。
次いで、前面パネル４および背面パネル４（４’）を起して、平行四辺形骨材３の前面斜辺部３ｂおよび背面斜辺部３ｃにそれぞれあてがい、連結用鋼線コイル６で連結する。この場合、前述の通り、隣接する枠ユニット１の境界では、１つの平行四辺形骨材３を左右の枠ユニット１に共通の部材として用い、この１つの平行四辺形骨材３と左右のパネル４のそれぞれ端部とをまとめて連結用鋼線コイル６で連結する。
次いで、パネル両端と中央との中間位置の２箇所において、前面パネル４の最上位の横線材４ｂと背面パネル４（４’）の最上位の横線材４ｂとの間に、両端のフック部１０ａを引っ掛ける形で梁１０を架け渡す。これにより、枠ユニット１の形状が安定し、かつ強度が増大する。なお、壁の両端部では、枠ユニット１の側面に側面パネル（図示略）を取り付けて、側面を閉ざす。
次いで、この枠ユニット１の内部に石（図３では１５で示す）を充填する。これにより、壁の最下段の１段部分が形成される。
【００２０】
次いで、壁の下から２段目部分を形成する。まず、最下段の枠ユニット１の各平行四辺形骨材３の上に平行四辺形骨材３を乗せ、連結用鋼線コイル６ｃ（図４参照）を用いて連結し、次いで、前面パネル４および背面パネル４（４’）を平行四辺形骨材３の前面斜辺部３ｂおよび背面斜辺部３ｃに、いずれもフック部４ｃを前方に向けてそれぞれあてがい、連結用鋼線コイル６で連結する。
その際、上下のパネル４どうしの係合は、図５に詳細を示すようにして行う。すなわち、図５（イ）のように、上側のパネル４（Ｕ）の縦線材４ａの下端のフック部４ｃを下側のパネル４（Ｄ）の最上位の横線材４ｂの下側にくぐらせ、矢印のように回転させて起し、図５（ロ）のようにフック部４ｃを下側のパネル４の上から２番目の横線材４ｂに係合させる。
上側のパネル４の最下位の横線材４ｂは、下側のパネル４の最上位の横線材４ｂ上に乗る。
上側のパネル４のフック部４ｃおよび最下位の横線材４ｂと、下側のパネル４の上から２番目の横線材４ｂおよび最上位の横線材４ｂとは、上下のパネル４を係合させる継ぎ手構造を構成する。
このように本発明では別部材を用いて上下のパネル４を係合させるのでなく、パネル４自体に継ぎ手構造を備えているので、上下のパネル４を係合させる作業がきわめて容易で能率的である。また、別部材を用いないので、部材数が少なく済む。
【００２１】
上記のように石詰めした最下段の枠ユニット１の上に下から２段目の枠ユニット１を組み立てる作業を、各最下段の枠ユニット１の上で繰り返して、下から２段目の枠ユニット１の組み立てがすべて終了した後、ないし一部が終了する毎に、その内部に石を詰めると、石詰め壁の下から２段目の部分が形成される。
上述の作業を順次繰り返して所定段数を形成した後、最上段部分の枠ユニット１に上面に蓋パネル１６（図４参照）を連結用鋼線コイル６ｄで取り付けると、図３に示すように、連続する斜面を持つ石詰め壁が構築される。
なお、図３の壁は河川の護岸壁であり、壁の最下段部分が地中に埋まった施工態様である。
【００２２】
図６に上下のパネル４の継ぎ手構造についての他の実施形態を示す。同図（イ）は上下のパネル４を係合させる直前の状態、（ロ）は係合させた状態を示す。この実施形態のパネル４は、縦線材４ａの下端部が直線状のままであり、最上位の横線材４ｂが縦線材４ａを挟む両側に２本（ダブル）ある。
この場合、上側のパネル４（Ｕ）の最下位の２本の横線材４ｂが下側のパネル４（Ｄ）の最上位の２本の横線材４ｂの上に乗るとともに、上側のパネル４の縦線材４ａの直線のままの下端部が、下側のパネル４の最上位の２本の横線材４ｂ間に緊密に嵌合することで、みだりに抜けないように係合する。
【００２３】
図７に上下のパネル４の継ぎ手構造についてのさらに他の実施形態を示す。同図（イ）はパネル４のフック部４ｃの近傍の斜視図、（ロ）は上下のパネル４を係合させた状態の正面図、（ハ）は（ロ）のＡ−Ａ断面図である。この実施形態のパネル４は、縦線材４ａの直線状の下端部の片側に別体のフック４’ｃを溶接固定してフック部４ｃを形成したものである。
図６までの各実施形態では、上側パネル４の縦線材４ａと下側パネル４の縦線材４ａとが横にずれた状態となり、したがって、上側パネル４と下側パネル４とが若干横にずれた状態で組み立てられる。しかし、図７の実施形態では、上下の縦線材４ａの芯が一直線上にあり、上下のパネル４の横方向のずれが解消され、正しく整列する。
【００２４】
図８に上下のパネル４の継ぎ手構造についてのさらに他の実施形態を示す。同図（イ）はパネル４のフック部４ｃの近傍の斜視図、（ロ）は上下のパネル４を係合させた状態の正面図、（ハ）は（ロ）のＢ−Ｂ断面図である。この実施形態のパネル４は、縦線材４ａの直線状の下端部の両側に別体のフック４’ｃをそれぞれ溶接固定してフック部４ｃを形成したものである。この実施形態の場合も、図７の実施形態と同じく、上下の縦線材４ａの芯が一直線上にあり、上下のパネル４の横方向のずれが解消され、正しく整列する。また、フック４’ｃがダブルであるから、係合強度が高い。
【００２５】
図９に上下のパネル４の継ぎ手構造についてのさらに他の実施形態を示す。同図（イ）はパネル４のフック部４ｃの近傍の斜視図、（ロ）は上下のパネル４を係合させた状態の正面図、（ハ）は（ロ）のＣ−Ｃ断面図である。この実施形態のパネル４は、縦線材４ａを最下位の横線材４ｂの部分でパネル表側（図９（ハ）の左側）に曲折した後にパネル裏側に折り返してフック部４ｃを形成するとともに、さらに同図（ロ）にも示すように、このフック部４ｃをパネル正面から見て横向きに傾斜させたものである。
これにより、別体のフックを溶接固定する方法によらず、縦線材４ａを曲折する加工だけで、上下の縦線材４ａの芯を一直線上にすることができる。
【００２６】
また、上述の各実施形態ではパネル４の最下位の横線材４ｂがダブル（２本）であるが、図１０に示すように、パネル４の最下位の横線材４ｂをシングル（１本）としてもよい。
また、図１１に示すように、縦線材４ａの直線部を最下位の横線材４ｂから下方に長く伸ばした後に横向きＵ字形に曲折した、局所的な爪形状のフック部４ｃとしてもよい。
【００２７】
縦線材４ａの下端にフック部４ｃを設ける種々の態様を図１２に示す。上述の各実施形態のパネル４は、同図（イ）にも示すように、パネル４のすべての縦線材４ａにフック部４ｃを形成しているが、必要な係合強度が得られれば、（ロ）〜（ニ）に示すように一部について省略してもよい。すなわち、（ロ）は１つおきの縦線材４ａについて、フック部４ｃを省略し直線のままとしたものである。（ハ）は両端の縦線材４ａについてフック部を省略したものである。（ニ）は片側端の縦線材だけにフック部４ｃを省略したものである。
【００２８】
上述の実施形態では、上下のパネル４を係合させるための継ぎ手構造として、上側パネル４の縦線材４ａの下端に形成したフック部４ｃが下側パネル４の上部の横線材４ｂに係合する構造としたが、逆に、下側パネル４の縦線材４ａの上端に形成したフック部が上側パネル４の下端の横線材に係合する構造とすることもできる。要するに、上下のパネル４を上下方向に離脱しないように係合させることができる構造であればよい。
また、平行四辺形骨材３とパネル４とを連結させる連結部材としては、実施形態のような連結用鋼線コイル６に限らず、他の手段を採用することができる。
【００２９】
【発明の効果】
本発明の枠ユニットあるいは壁施工法によれば、枠ユニットを段積みした時に上側のパネルの下縁部と下側のパネルの上縁部とが直接係合するので、係合のために別部材を用いる従来工法と比べて、必要な部材数を少なくすることができるとともに、上下のパネルの係合作業の能率が向上する。
【００３０】
請求項２のようにパネルとして溶接金網を用いることは、石詰め枠を形成する枠ユニットのパネルとして適切であり、上下のパネルの係合部を形成する上で好都合である。
【００３１】
請求項３のように、上側のパネルの最下位の横線材から下方に突き出た上側継ぎ手部が下側のパネルの上部の横線材に係合する構造とすると、溶接金網である上下のパネルを直接係合させる構造を容易に実現できる。
【００３２】
請求項４によれば、上側パネルの縦線材の直線状の下端部を下側パネルのダブルの横線材間に単に嵌入すればよいので、上下のパネルどうしの継ぎ手構造をきわめて簡単に実現でき、また、係合作業が著しく簡単になる。
【００３３】
請求項５によれば、フック部によって上下のパネルどうしの係合作業を簡単に行えるとともに、確実に係合させることができる。
【００３４】
請求項６によれば、パネルの縦線材の直線状の下端部の片側または両側に別体のフックを溶接固定してフック部とすることで、上下のパネルが左右にずれることが回避され、正しく整列する。
【００３５】
請求項７によれば、パネルの縦線材の下端部を曲折するという簡単な手段で、上下のパネルの左右ずれの回避を実現できる。
【００３６】
請求項８のように、前面のパネルおよび背面のパネルが互いに平行な枠ユニットは、石詰め壁を構築するため枠ユニット構造として適切である。
【００３７】
請求項９によれば、▲１▼間隔保持部材として平行四辺形骨材を用いて枠ユニットを構成するので、連続する斜面を持つ石詰め壁を構築するための枠ユニットとしてきわめて簡単であり、かつ施工性が良好である。
▲２▼間隔をあけて配置した平行四辺形骨材の前面部および背面部にそれぞれパネルを取り付けるという簡単な作業で概ねの組み立てが行えるので、組み立て作業がきわめて容易かつ能率的であり、連続する斜面を持つ石詰め壁を構築する際の施工性が向上する。
【００３８】
請求項１０によれば、前後のパネル間に架け渡した梁材により、枠ユニット内に充填した石を保持する強度が増大する。
【図面の簡単な説明】
【図１】本発明の一実施形態の枠ユニットの斜視図である。
【図２】（イ）は図１の枠ユニットの側面図、（ロ）はパネルのみの拡大側面図である。
【図３】上記の枠ユニットを用いて施工した石詰め壁の断面図である。
【図４】上記の枠ユニットを用いて構築した石詰め壁における枠ユニットの段積み状態を説明する斜視図である。
【図５】図４のように枠ユニットを段積みする際の上下の枠ユニットのパネルどうしの係合要領を説明する図であり、（イ）は係合させる動作の途中の状態、（ロ）は係合させた状態を示す。
【図６】本発明の枠ユニットにおけるパネルどうしの継ぎ手構造の他の実施形態を示すもので、（イ）は係合させる動作の途中の状態、（ロ）は係合させた状態を示す。
【図７】本発明の枠ユニットにおけるパネルどうしの継ぎ手構造のさらに他の実施形態を示すもので、（イ）はパネル下端のフック部近傍の斜視図、（ロ）は上下のパネルどうしを係合させた状態の正面図、（ハ）は（ロ）のＡ−Ａ断面図である。
【図８】本発明の枠ユニットにおけるパネルどうしの継ぎ手構造のさらに他の実施形態を示すもので、（イ）はパネル下端のフック部近傍の斜視図、（ロ）は上下のパネルどうしを係合させた状態の正面図、（ハ）は（ロ）のＢ−Ｂ断面図である。
【図９】本発明の枠ユニットにおけるパネルどうしの継ぎ手構造のさらに他の実施形態を示すもので、（イ）はパネル下端のフック部近傍の斜視図、（ロ）は上下のパネルどうしを係合させた状態の正面図、（ハ）は（ロ）のＣ−Ｃ断面図である。
【図１０】本発明の枠ユニットにおけるパネルどうしの継ぎ手構造のさらに他の実施形態を示すもので、パネル下端のフック部近傍の斜視図である。
【図１１】本発明の枠ユニットにおけるパネルどうしの継ぎ手構造のさらに他の実施形態を示すもので、パネル下端のフック部近傍の側面図である。
【図１２】本発明の枠ユニットにおけるパネルの下端部に設けるフック部の種々の態様を示すもので、（イ）は各縦線材にフック部を設けたもの（図１の実施形態）、（ロ）は１つおきの縦線材にフック部を設けたもの、（ハ）はパネルの両端の縦線材についてだけフック部を省略したもの、（ニ）はパネル片側端の縦線材についてフック部を省略したものである。
【符号の説明】
１  枠ユニット
３  斜め補強材付き平行四辺形骨材（間隔保持部材）
３ａ  斜め補強材
３ｂ  前面斜辺部
３ｃ  背面斜辺部
３ｄ  底辺部
４  パネル
４’  背面のパネル
４ａ  縦線材
４ｂ  横線材
４ｃ  フック部
４’ｃ  フック
６  連結用鋼線コイル
１０  梁
１０ａ  フック部
１２  底面パネル
１５  石
１６  蓋パネル
【図１】
0003785436.tif 000002
【図２】
0003785436.tif 000003
【図３】
0003785436.tif 000004
【図４】
0003785436.tif 000005
【図５】
0003785436.tif 000006
【図６】
0003785436.tif 000007
【図７】
0003785436.tif 000008
【図８】
0003785436.tif 000009
【図９】
0003785436.tif 000010
【図１０】
0003785436.tif 000011
【図１１】
0003785436.tif 000012
【図１２】
0003785436.tif 000013